(57)【要約】関心領域の管腔ネットワークを、関心領域の管腔ネットワークの画像に位置合わせする方法。方法は、関心領域の画像に基づいて関心領域のモデルを生成することと、関心領域における軟性点の位置を判定することと、位置センサが関心領域内でナビゲートされている間に位置センサの位置を追跡することと、関心領域内の位置センサの追跡された位置を比較することと、位置センサを軟性点にナビゲートすることと、位置センサが軟性点に位置していることを確認することと、軟性点における位置センサの追跡された位置に基づいて、モデルの、関心領域との位置合わせを更新することと、を含む。
2019531113.tif 000002
【特許請求の範囲】
【請求項１】
関心領域を、前記関心領域のモデルに位置合わせするためのシステムであって、前記システムは、
患者の体内の前記関心領域内でナビゲートされることが可能である位置センサと、
前記位置センサが前記関心領域内でナビゲートされる際、前記位置センサの位置を検出するように構成された電磁場発生器と、
外部患者動作を判定するように構成されたモニタと、
軟性点内の前記位置センサの画像を表示することが可能なディスプレイと、
プロセッサと、命令を記憶するメモリと、を含む、コンピューティングデバイスであって、前記命令は、前記プロセッサによって実行されると、前記コンピューティングデバイスに、
前記関心領域の画像に基づいて、前記関心領域のモデルを生成することと、
前記関心領域の前記モデル内の軟性点を識別することと、
前記関心領域内で前記位置センサをナビゲートするためのガイダンスを表示することと、
前記位置センサが前記関心領域内でナビゲートされている間に、前記位置センサの前記位置を追跡することと、
前記センサが前記軟性点に位置している間に、前記関心領域内の前記位置センサの前記追跡された位置と前記外部患者動作とを比較することと、
前記位置センサが前記軟性点にある間に、前記位置センサの前記追跡された位置と、前記外部患者動作との前記比較に基づいて、前記モデルの、前記関心領域との前記位置合わせを更新することと、を行わせる、コンピューティングデバイスと、を備える、システム。
【請求項２】
前記関心領域は、患者の気道である、請求項１に記載のシステム。
【請求項３】
前記モデルは、前記患者の前記気道のモデルである、請求項２に記載のシステム。
【請求項４】
前記命令は、前記プロセッサによって実行されると、前記コンピューティングデバイスに、
前記患者上の既知の静的点を識別することと、
前記軟性点の前記位置を、前記静的点と比較することと、を更に行わせる、請求項１に記載のシステム。
【請求項５】
前記命令は、前記プロセッサによって実行されると、前記コンピューティングデバイスに、
前記軟性点の前記追跡された位置の、前記静的点との前記比較に基づいて、前記モデルの、前記関心領域との前記位置合わせを更新することを更に行わせる、請求項４に記載のシステム。
【請求項６】
前記静的点は、椎体、気管分岐部、胸骨、甲状軟骨、肋骨又は食道である、請求項４に記載のシステム。
【請求項７】
前記関心領域内の前記位置センサの比較された追跡位置及び前記外部患者動作は、データベースに保存されて、患者の特性に従って予測モデルを生成する、請求項１に記載のシステム。
【発明の詳細な説明】
【技術分野】
【０００１】
本開示は、患者の身体の関心領域による移動をモデル化することに関し、特に、呼吸周期にわたって、患者の実際の特徴部と、関心領域の３次元モデルを自動的に位置合わせ及び更新するためのデバイス、システム、及び方法に関する。
【背景技術】
【０００２】
患者の気道を検査するための共通のデバイスは、気管支鏡である。典型的には、気管支鏡は、患者の鼻又は口を通って患者の気道に挿入され、患者の肺の中に延在することができる。典型的な気管支鏡は、気管支鏡の先端より遠位の領域を照射する照明アセンブリを有する細長い可撓管と、気管支鏡の先端から映像を提供するための撮像アセンブリと、例えば、生検器具等の診断器具、治療器具などの器具を挿入可能なワーキングチャネルと、を備える。
【０００３】
しかしながら、気管支鏡は、これらのサイズに起因して、気道を通って前進することができる距離が限定されている。気管支鏡が大き過ぎて、肺の深い標的位置に到達することができない場合、臨床医は、Ｘ線透視法などの特定のリアルタイム撮像モダリティを利用することができる。Ｘ線透視画像は、有用ではあるが、中実組織から管腔通路を区別することが困難である場合が多いため、ナビゲーションに関して特定の短所をもたらしている。更に、Ｘ線透視装置によって生成される画像は、２次元であるが、患者の気道をナビゲートすることは、３次元の操作能力を必要とする。
【０００４】
これらの問題に対処するために、典型的には、一連のコンピュータ断層撮影（ＣＴ）画像から気道又は他の管腔ネットワークの三次元モデルを発現させることを可能にするシステムが開発されてきた。１つのそのようなシステムは、Ｍｅｄｔｒｏｎｉｃ  ＰＬＣによって現在販売されている、ＩＬＯＧＩＣ（登録商標）ＥＬＥＣＴＲＯＭＡＧＮＥＴＩＣ  ＮＡＶＩＧＡＴＩＯＮ  ＢＲＯＮＣＨＯＳＣＯＰＹ（登録商標）（ＥＮＢ（商標））システムの一部として開発されている。そのようなシステムの詳細は、全内容が参照により本明細書に援用されている、Ｇｉｌｂｏａによって２００４年３月２９日に出願された、発明の名称が「ＥＮＤＯＳＣＯＰＥ  ＳＴＲＵＣＴＵＲＥＳ  ＡＮＤ  ＴＥＣＨＮＩＱＵＥＳ  ＦＯＲ  ＮＡＶＩＧＡＴＩＮＧ  ＴＯ  Ａ  ＴＡＲＧＥＴ  ＩＮ  ＢＲＡＮＣＨＥＤ  ＳＴＲＵＣＴＵＲＥ」である、本願と同一譲受人に譲渡された米国特許第７，２３３，８２０号及びＢｒｏｗｎによる、発明の名称が「ＳＹＳＴＥＭ  ＡＮＤ  ＭＥＴＨＯＤ  ＦＯＲ  ＮＡＶＩＧＡＴＩＮＧ  ＷＩＴＨＩＮ  ＴＨＥ  ＬＵＮＧ」である、本願と同一譲受人に譲渡された米国特許出願第１３／８３６，２０３号に記載されている。
【０００５】
米国特許第７，２３３，８２０号に記載されているようなシステムは、非常に有用であるが、そのようなシステムに対する改良及び補強の開発に対するニーズが常に存在している。
【先行技術文献】
【特許文献】
【０００６】
【特許文献１】米国特許第７，２３３，８２０号明細書
【発明の概要】
【課題を解決するための手段】
【０００７】
関心領域を、関心領域の画像に位置合わせする方法が、本開示に従って提供される。本開示の態様において、方法は、関心領域の画像に基づいて、関心領域のモデルを生成することと、関心領域における軟性点（ｓｏｆｔ  ｐｏｉｎｔ）の位置を判定することと、位置センサが関心領域内でナビゲートされる間に、位置センサの位置を追跡することと、関心領域内の位置センサの追跡された位置を比較することと、位置センサを軟性点にナビゲートすることと、位置センサが軟性点に位置していることを確認することと、軟性点にある位置センサの追跡された位置に基づいて、モデルの、関心領域との位置合わせを更新することと、を含む。
【０００８】
本開示の更なる態様では、方法は、関心領域内で位置センサをナビゲートするためのガイダンスを表示することを更に含む。
【０００９】
本開示の追加の態様では、方法は、関心領域内で位置センサをナビゲートするためのガイダンスを表示することを更に含む。位置センサは、磁場を感知して、感知された磁場に反応して位置信号を生成するように構成された磁場センサを含む。
【００１０】
本開示の別の態様では、位置センサが軟性点に位置していることを確認することは、ＣＴ、超音波又は弾性撮像法を用いて軟性点を撮像することを含む。
【００１１】
本開示の更に別の態様では、方法は、患者の静的点（ｓｔａｔｉｃ  ｐｏｉｎｔ）を識別することと、軟性点の位置と患者上の静的点とを比較することと、追跡された軟性点の位置と静的点との比較に基づいて、モデルの、関心領域との位置合わせを更新することと、を更に含む。
【００１２】
本開示の更なる態様では、静的点は、椎体、気管分岐部（ｍａｉｎ  ｃａｒｉｎａ）、胸骨、甲状軟骨、肋骨又は食道である。
【００１３】
本開示の別の態様では、関心領域は、患者の気道であり、モデルは、患者の気道のモデルである。
【００１４】
本開示の更に別の態様では、方法は、患者の１回換気量呼吸運動データを生成することと、呼吸周期にわたる患者の１回換気量呼吸運動データを位置センサの動作と比較することと、呼吸周期にわたる患者の１回換気量呼吸運動データと位置センサとの比較に基づいて、モデルの、関心領域との位置合わせを更新して、センサ又はツールの位置合わせ及び位置特定並びに関心領域に対する位置を更に改善することと、を更に含む。
【００１５】
本開示の更なる態様では、方法は、第２の位置センサを患者の胸部に配置し、第２のセンサの位置を経時的に追跡することを更に含む。
【００１６】
本開示の別の態様では、方法は、患者の胸部を患者の乳頭線とほぼ平行な位置から撮像し、経時的に患者の胸部の縁部の位置を監視することを更に含む。
【００１７】
本開示の別の態様において、位置センサは、管腔ネットワークを通ってナビゲートされる。
【００１８】
本開示の更なる態様において、位置センサは、管腔ネットワークを通ってナビゲートされた後、管腔ネットワーク内の壁を通って更にナビゲートされる。
【００１９】
本開示の更に別の態様では、位置センサは、軟性点に対して、関心領域内へかつ関心領域を通って経皮的にナビゲートされる。
【００２０】
関心領域を、関心領域のモデルに対して位置合わせするためのシステムが本開示に従って提供される。本開示の一態様では、システムは、患者の体内の関心領域内でナビゲートされることが可能である位置センサと、位置センサが関心領域内でナビゲートされる際、位置センサの位置を検出するように構成された電磁場発生器と、外部患者動作を判定するように構成されたモニタと、軟性点内の位置センサの画像を表示することが可能なディスプレイと、プロセッサ及びメモリを含むコンピューティングデバイスと、を備える。メモリは、命令を記憶し、命令は、プロセッサによって実行されると、コンピューティングデバイスに、関心領域の画像に基づいて、関心領域のモデルを生成することと、関心領域のモデル内の軟性点を識別することと、関心領域内で位置センサをナビゲートするためのガイダンスを表示することと、位置センサが関心領域内でナビゲートされている間に、位置センサの位置を追跡することと、位置センサが軟性点に位置している間に、関心領域内の位置センサの追跡された位置と外部患者動作とを比較することと、位置センサが軟性点にある間に、位置センサの追跡された位置と、外部患者動作との比較に基づいて、モデルの、関心領域との位置合わせを更新することと、を行わせる。
【００２１】
本開示の更なる態様では、関心領域は、患者の気道であり、モデルは、患者の気道のモデルである。
【００２２】
本開示の更なる態様では、命令は、プロセッサによって実行されると、コンピューティングデバイスに、患者上の既知の静的点を識別することと、患者の胸部についての既知の軟性点の位置を既知の静的点と比較することと、軟性点の追跡された位置の、静的点に対する比較に基づいて、モデルの、関心領域との位置合わせを更新することと、を更に行わせる。
【００２３】
本開示の別の態様では、静的点は、椎体、気管分岐部、肋骨、胸骨、甲状腺軟骨又は食道上にある。
【００２４】
本開示の更に別の態様において、関心領域内の位置センサの比較された追跡位置及び外部患者動作は、データベースに保存されて、患者の特性に従って予測モデルを生成する。
【００２５】
本開示の上記の態様及び実施形態のうちの任意のものを、本開示の範囲から逸脱することなく組み合わせ得る。
【００２６】
本開示の様々な態様及び機構を、図面を参照して本明細書で以下に説明する。
【図面の簡単な説明】
【００２７】
【図１】本開示に係る電磁ナビゲーションシステムの斜視図である。
【図２】本開示の実施形態に従って提供される、軟性点を使用して、管腔ネットワークの、管腔ネットワークのモデルへの位置合わせを改善する方法を示すフロー図である。
【図３】本開示の実施形態に従って提供される、軟性点及び１回換気量の算出を使用して、管腔ネットワークの、管腔ネットワークのモデルへの位置合わせを改善する方法を示すフロー図である。
【図４】本開示の実施形態に従って提供される、軟性点及び静的点を使用して、管腔ネットワークの、管腔ネットワークのモデルへの位置合わせを改善する方法を示す更なるフロー図である。
【図５Ａ】本開示の実施形態に係る標的管理モードの図である。
【図５Ｂ】ａの後の本開示の実施形態に係る標的管理モードの後続図である。
【図６】中心ナビゲーションタブを更に提示する、標的に対してナビゲーションを行うためのビューを提示する、図７のワークステーションのユーザインタフェースの図である。
【図７】図１のシステムと共に使用するために構成されたワークステーションの概略図である。
【発明を実施するための形態】
【００２８】
本開示は、初期位置合わせを改善し、患者の呼吸による患者の気道及び肺の動きをより良く描写するために、気管支樹の局所的な位置合わせを行うためのデバイス、システム、及び方法に関する。本開示の局所的な位置合わせ方法は、センサを標的軟性点にナビゲートすることと、撮像システムでセンサの位置を確認することと、呼吸周期を含む期間などの期間にわたってセンサの位置を追跡するための追跡プロトコルを開始することと、を含む。経時的なセンサの追跡された位置により、以前撮像された、気管支樹の以前のモデルの位置合わせに対する様々な点の局所的な位置合わせが可能になる。
【００２９】
図１を参照すると、電磁ナビゲーション（ＥＭＮ）システム１０が、本開示に従って提供される。とりわけ、ＥＭＮシステム１０を使用して行われ得るタスクは、標的組織への経路を計画することと、標的組織にカテーテルアセンブリをナビゲートすることと、生検ツールを使用して標的組織から組織サンプルを採取するために、切除カテーテルなどの生検ツール又は治療ツールを標的組織へナビゲートすることと、組織サンプルが採取された位置をデジタル的に標識することと、１つ以上のエコー源性マーカーを標的に又はその周囲に配置することと、である。
【００３０】
ＥＭＮシステム１０は、患者を支持するように構成されている手術台４０と、患者の口及び／又は鼻を介して患者の気道の中に挿入するように構成されている気管支鏡５０と、気管支鏡５０から受信したビデオ画像を表示するために気管支鏡５０に連結された監視機器６０と、追跡モジュール７２、複数の基準センサ７４、及び電磁場発生器７６を含む追跡システム７０と、経路計画、標的組織の特定、標的組織へのナビゲーション、及び生検位置のデジタル的な標識を容易にするために使用されるソフトウェア及び／又はハードウェアを含むワークステーション８０と、を概ね備える。
【００３１】
図１はまた、２種類のカテーテルガイドアセンブリ９０、１００を描写している。カテーテルガイドアセンブリ９０、１００の両方は、ＥＭＮシステム１０と共に使用可能であって、いくつかの共通の構成要素を共用している。それぞれのカテーテルガイドアセンブリ９０、１００は、延在したワーキングチャネル（ＥＷＣ）９６に接続されるハンドル９１を含む。ＥＷＣ９６は、気管支鏡５０のワーキングチャネルの中に配置するようにサイズ決めされている。動作時、電磁（ＥＭ）センサ９４を含む位置特定可能ガイド（ＬＧ）９２が、ＥＭセンサ９４がＥＷＣ９６の遠位先端９３を越えて所望の距離だけ延在するように、ＥＷＣ９６の中に挿入され、定位置に係止される。電磁場発生器７６によって生成される電磁場内のＥＭセンサ９４の位置、すなわち、ＥＷＣ９６の遠位端の位置を、追跡モジュール７２及びワークステーション８０によって導出することができる。カテーテルガイドアセンブリ９０、１００は、異なる動作機構を有するが、それぞれ、回転及び加圧によって操作して、ＬＧ９２の遠位先端９３及びＥＷＣ９６を操向できるハンドル９１を備える。カテーテルガイドアセンブリ９０は、現在、Ｃｏｖｉｄｉｅｎ  ＬＰによってＳＵＰＥＲＤＩＭＥＮＳＩＯＮ（登録商標）Ｐｒｏｃｅｄｕｒｅ  Ｋｉｔｓの名称で市販されている。同様に、カテーテルガイドアセンブリ１００は、現在、Ｃｏｖｉｄｉｅｎ  ＬＰによってＥＤＧＥ（商標）Ｐｒｏｃｅｄｕｒｅ  Ｋｉｔｓの名称で販売されている。両キットは、ハンドル９１、ＥＷＣ９６及びＬＧ９２を含む。カテーテルガイドアセンブリ９０、１００のより詳細な説明については、その全内容が参照により本明細書に援用されている、Ｌａｄｔｋｏｗ  ｅｔ  ａｌ．による、２０１３年３月１５日に出願され、発明の名称が「ＭＩＣＲＯＷＡＶＥ  ＡＢＬＡＴＩＯＮ  ＣＡＴＨＥＴＥＲ  ＡＮＤ  ＭＥＴＨＯＤ  ＯＦ  ＵＴＩＬＩＺＩＮＧ  ＴＨＥ  ＳＡＭＥ」である同一所有者の米国特許出願第１３／８３６，２０３号を参照されたい。
【００３２】
図１に示されるように、患者は、気管支鏡５０が患者の口を通って患者の気道の中に挿入された状態で手術台４０上に横たえられて示される。気管支鏡５０は、照明源と、ビデオ撮像システム（明示的に図示せず）とを含み、気管支鏡５０のビデオ撮像システムから受信したビデオ画像を表示するために、監視機器６０、例えば、ビデオディスプレイに連結されている。
【００３３】
ＬＧ９２及びＥＷＣ９６を含むカテーテルガイドアセンブリ９０、１００は、気管支鏡５０のワーキングチャネルを通って患者の気道の中に挿入するように構成される（但し、カテーテルガイドアセンブリ９０、１００は、代替として、気管支鏡５０を伴わずに使用されてもよい）。ＬＧ９２及びＥＷＣ９６は、係止機構９９を介して互いに対して選択的に係止可能である。例えば、これらの各々の全内容が参照により本明細書に援用されている、ＧＩＬＢＯＡによって１９９８年１２月１４日に出願され、発明の名称が「ＷＩＲＥＬＥＳＳ  ＳＩＸ−ＤＥＧＲＥＥ−ＯＦ−ＦＲＥＥＤＯＭ  ＬＯＣＡＴＯＲ」である米国特許第６，１８８，３５５号並びにＧＩＬＢＯＡ  ＥＴ  ＡＬ．によって１９９９年７月７日に出願され、発明の名称が「ＩＮＴＲＡＢＯＤＹ  ＮＡＶＩＧＡＴＩＯＮ  ＳＹＳＴＥＭ  ＦＯＲ  ＭＥＤＩＣＡＬ  ＡＰＰＬＩＣＡＴＩＯＮＳ」である国際公開第２０００／１０４５６号及びＧＩＬＢＯＡ  ＥＴ  ＡＬ．によって２００１年９月３日に出願され、発明の名称が「ＯＢＪＥＣＴ  ＴＲＡＣＫＩＮＧ  ＵＳＩＮＧ  Ａ  ＳＩＮＧＬＥ  ＳＥＮＳＯＲ  ＯＲ  Ａ  ＰＡＩＲ  ＯＦ  ＳＥＮＳＯＲＳ」である同第２００１／６７０３５号に開示されるものに類似する、６自由度電磁追跡システム７０、又は任意の他の好適な位置計測システムがナビゲーションを行うために利用されるが、他の構成も想定される。追跡システム７０は、以下に詳述されるように、カテーテルガイドアセンブリ９０、１００と共に使用し、ＥＭセンサ９４が患者の気道を通ってＥＷＣ９６と共に移動するに伴い、ＥＭセンサ９４の位置を追跡するように構成されている。
【００３４】
図１に示されるように、電磁場発生器７６は、患者の下に位置付けられている。電磁場発生器７６及び複数の基準センサ７４は、それぞれの基準センサ７４の位置を導出する追跡モジュール７２と相互接続されている。基準センサ７４のうちの１つ以上は、患者の胸部に取り付けられる。１つ以上の基準センサ７４はまた、椎体、気管分岐部、胸骨、甲状腺軟骨、肋骨、食道などの静的点、又は乳頭線、食道、肋骨の輪郭、中間幹分岐部（ｓｅｃｏｎｄａｒｙ  ｃａｒｉｎａ）などの軟性点における位置を含む複数の位置に取り付けられ得る。
基準センサ７４の座標は、センサ７４によって収集されたデータを使用して、基準の患者座標フレームを計算するアプリケーション８１を含むワークステーション８０に送信される。
【００３５】
ＬＧ９２の標的へのナビゲーション及び除去に続き、カテーテルガイドアセンブリ９０、１００の中に挿入可能であるカテーテル生検ツール１０２もまた図１に示される。生検ツール１０２を使用して、１つ以上の組織サンプルを標的組織から収集する。以下に詳述されるように、生検ツール１０２は、生検ツール１０２の、標的組織までのナビゲーションを容易にするために、追跡システム７０に関連して使用することと、組織サンプルを採取するために標的組織に対して生検ツール１０２が操作されるときに生検ツール１０２の位置を追跡することと、及び／又は組織サンプルが採取される位置を標識することと、を行うように更に構成される。
【００３６】
ナビゲーションは、ＬＧ９２に含まれているＥＭセンサ９４に関して上で詳述されたが、ＥＭセンサ９４はまた、生検ツール１０２内に埋め込まれるか又は組み込まれてもよく、生検ツール１０２が、代替として、ＬＧ９２又はＬＧ９２の使用に要求される必須のツール交換を必要とせずに、ナビゲーションのために利用され得ることも想定される。様々な使用可能な生検ツールは、Ｃｏｓｔｅｌｌｏ  ｅｔ  ａｌ．によって、２０１５年５月２１日及び２０１５年９月２４日にそれぞれ出願された、両方とも発明の名称が「ＤＥＶＩＣＥＳ，ＳＹＳＴＥＭＳ，ＡＮＤ  ＭＥＴＨＯＤＳ  ＦＯＲ  ＮＡＶＩＧＡＴＩＮＧ  Ａ  ＢＩＯＰＳＹ  ＴＯＯＬ  ＴＯ  Ａ  ＴＡＲＧＥＴ  ＬＯＣＡＴＩＯＮ  ＡＮＤ  ＯＢＴＡＩＮＩＮＧ  Ａ  ＴＩＳＳＵＥ  ＳＡＭＰＬＥ  ＵＳＩＮＧ  ＴＨＥ  ＳＡＭＥ」である米国特許出願公開第２０１５／０１４１８６９号及び同第２０１５／０２６５２５７号並びにＣｏｓｔｅｌｌｏ  ｅｔ  ａｌ．によって２０１４年９月３０日に出願された、同題を有する国際公開第２０１５０７６９３６号に記載されており、これらのそれぞれの全内容は、参照により本明細書中に援用され、本明細書に記載されたようにＥＭＮシステム１０と共に使用可能である。
【００３７】
処置の計画中において、ワークステーション８０は、患者の気道の３Ｄモデルを生成及び視認するためのコンピュータ断層撮影（ＣＴ）画像データを利用し、３Ｄモデル上での標的組織の特定を（自動で、半自動で又は手動で）可能にし、かつ患者の気道を通る標的組織への経路の選択を可能にする。より具体的には、ＣＴ走査は処理され、３Ｄ体積へとアセンブルされ、その後、これを利用して、患者の気道の３Ｄモデルを生成する。３Ｄモデルは、ワークステーション８０に関連したディスプレイモニタ上に、又は、任意の他の好適な方法で提示され得る。臨床医は、ワークステーション８０を使用して、３Ｄ体積の様々なスライス及び３Ｄモデルのビューを提示及び／又は操作することができ、標的にアクセスするために、患者の気道を通って標的の特定及び好適な経路の選択が容易になる。３Ｄモデルはまた、日付、時刻、及び採取された組織サンプルに関する他の識別情報を含む、以前の生検が行われた位置の標識を示すことができる。これらの標識はまた、経路を計画することができる標的として選択されてもよい。いったん選択されると、経路は、ナビゲーション手順中に使用するために保存される。好適な経路計画システム及び方法の例は、Ｂａｋｅｒによって、全てが２０１４年３月１５日に出願された、発明の名称が「ＰＡＴＨＷＡＹ  ＰＬＡＮＮＩＮＧ  ＳＹＳＴＥＭ  ＡＮＤ  ＭＥＴＨＯＤ」である、米国特許出願公開第２０１４／０２８１９６１号、同第２０１４／０２７０４４１号、及び同第２０１４／０２８２２１６号に記載されており、これらのそれぞれの全内容は、参照により本明細書中に援用されている。ナビゲーション中、ＥＭセンサ９４又は生検ツール１０２が患者の気道を通って前進する際、追跡システム７０と連携するＥＭセンサ９４により、ＥＭセンサ９４及び／又は生検ツール１０２の追跡が可能となる。
【００３８】
次に、図２を参照すると、３Ｄモデルの、患者の気道との位置合わせを更新する例示的な方法のフロー図が示される。上記のように、工程２０２では、例えば、患者の胸部及び肺などの関心領域が、例えば、ＣＴ走査などの撮像方法を使用して画像化される。工程２０４では、工程２０２で生成された画像において標的を特定する。標的が確立すると、工程２０６では、気道の分岐部を通る標的までの通路がＣＴ画像データ内で生成される。経路計画が生成され、臨床医によって承認されると、ＥＭＮシステム１０を使用するナビゲーション手順において経路計画を利用することができる。経路計画は、ワークステーション８０上のアプリケーションにロードされ、表示される。そして、工程２０８において、アプリケーション８１は、上述のように、ＣＴ走査の、患者の気道との位置合わせを行い、具体的には、その全内容が参照により本明細書中に援用されている、Ｂｒｏｗｎ  ｅｔ  ａｌ．による、２０１５年７月２日に出願された、は、「ＲＥＡＬ  ＴＩＭＥ  ＡＵＴＯＭＡＴＩＣ  ＲＥＧＩＳＴＲＡＴＩＯＮ  ＦＥＥＤＢＡＣＫ」である、同時係属中の米国特許出願第１４／７９０，５８１号に記載されているとおりである。位置合わせ中に、患者の気道内にあるＥＭセンサ９４の位置が追跡され、ＥＭ発生器７６によって発生されたＥＭ場内のＥＭセンサ９４の位置を示す複数の点が生成される。十分な点が収集されると、アプリケーション８１は、これらの点の位置を３Ｄモデルと比較し、３Ｄモデルの管腔内の全ての点をあてはめるよう務める。あてはめが確定し、全てではないが、大多数の点が気道の３Ｄモデルによって画定された領域内にあてはめられたことが示されると、患者と３Ｄモデルとが互いに位置合わせされている。その結果、患者の体内のＥＭセンサ９４の検出動作は、３Ｄモデルを横断するセンサ９４又は３Ｄモデルが生成された２Ｄ画像としてワークステーション８０のディスプレイに正確に描画することができる。
【００３９】
工程２１０では、医師又はアプリケーション８１は、例えば、乳頭線、食道、肋骨の輪郭、中間幹分岐部などの１つ以上の標的軟性点を識別することができる。軟性点が確立されると、工程２１２では、標的への経路がアプリケーション８１によってＣＴ画像データ内に生成される。経路は、肺の気管支ネットワークを通って、軟性点に対する又はその近くへのＥＭセンサのナビゲーションのためのガイダンスを提供することができる。次いで、ＥＭセンサが、軟性点の近くの位置から肺の気管支壁を通って気管支樹の外側ではあるが近くの軟性点まで誘導されるように更に経路を提供することができる。代替的に、経路は、気管支樹を介する追加のガイダンスの有無にかかわらず、ＥＭセンサが患者の皮膚を通って軟性点の位置まで経皮的に挿入されるためのガイダンスを提供することができる。経路計画が生成され、臨床医によって承認された後、ＥＭＮシステム１０を使用するナビゲーション手順において経路計画を利用することができる。アプリケーション８１は、ＥＭセンサ９４の位置を追跡する間に、工程２１４で、標的軟性点、つまり、乳頭線、食道、肋骨の輪郭、中間幹分岐部等に近接するＥＭセンサをナビゲートするためのガイダンスを表示することにより、ナビゲーションプロセスを開始する。代替的に、ＥＭセンサ９４に近接して位置するカメラ（例えば、気管支鏡内）からのライブ映像フィードを見ることにより、臨床医は、標的軟性点を視覚的に検出することができる。その後、工程２１６において、臨床医又はアプリケーション８１は、センサが、判定された標的軟性点に近接して位置しているかどうかを判定することができる。臨床医又はアプリケーション８１が、ＥＭセンサ９４が標的軟性点に近接していると判定しなかった場合、処理は、更なるガイダンスが表示される工程２１４に戻る。
【００４０】
工程２１８では、ＥＭセンサ９４が軟性点に近接して位置している間に、例えば、ＣＴ撮像法、コーンビームＣＴ撮像法、又は超音波撮像法を使用して、標的軟性点が撮像される。工程２１８で生成された画像を用いて、工程２２０において、臨床医又はアプリケーション８１は、軟性点におけるＥＭセンサ９４の位置を確認する。ＥＭセンサ９４が標的軟性点にないと判定された場合には、処理は、更なるガイダンスが表示される工程２１４に戻る。ＥＭセンサ９４が軟性点の近位にあることが確認された場合、処理は、工程２２２へ進む。
【００４１】
工程２２２では、アプリケーション８１は、ＥＭセンサ９４の位置を示す記憶された点を使用して、局所的な位置合わせを行って、標的軟性点に近接した患者の気道により３Ｄモデルの更新を行う。例えば、局所的な位置合わせは、薄板スプライン（ＴＰＳ）補間などの一連の補間手法に基づいて行われてもよい。実施形態では、ＴＰＳ補間は、３Ｄモデルとの自動位置合わせ中に記憶されたＥＭ生成器７６によって生成されたＥＭ場内のＥＭセンサ９４の位置を示す点を、非剛体位置合わせするために使用されてもよく、局所的な位置合わせ中に記憶された追加点によって増強されてもよい。
【００４２】
工程２２４で、局所的な位置合わせが行われる標的軟性点が残っていない場合、アプリケーション８１又は臨床医は、位置合わせの更新が完了していると判定する。位置合わせの更新が完了していない場合、処理は、工程２１４に戻り、アプリケーション８１は、次の標的軟性点に近接しているＥＭセンサ９４をナビゲートするためのガイダンスを表示する。位置合わせの更新が完了すると、処理は終了する。
【００４３】
図３を参照すると、３Ｄモデルの、患者の気道との位置合わせを更新する例示的な方法の別のフロー図が示されている。工程３０２では、アプリケーション８１は、ＥＭセンサ９４の位置を追跡する間に、標的軟性点、すなわち、治療標的の近くの乳頭線、食道、肋骨の輪郭、中間幹分岐部などに近接するＥＭ９４センサを、管腔ネットワークを通って、管腔ネットワークの壁を通って、又は患者の皮膚を経皮的に通って、ナビゲートするためのガイダンスを表示する。代替的に、ＥＭセンサ９４に近接して位置するカメラ（例えば、気管支鏡内）からのライブ映像フィードを見ることにより、臨床医は、標的軟性点を視覚的に検出することができる。その後、工程３０４では、臨床医又はアプリケーション８１は、ＥＭセンサ９４が標的軟性点に近位であるかどうかを判定する。「いいえ」である場合、処理は、工程３０２に戻り、アプリケーション８１は、標的軟性点に近接するＥＭセンサ９４をナビゲートするためのガイダンスを表示することを再開する。「はい」である場合、処理は、工程３０６に進む。
【００４４】
工程３０６では、ＥＭセンサ９４が軟性点に近接して位置している間に、例えば、ＣＴ撮像法、コーンビームＣＴ撮像法、又は超音波撮像法を使用して、標的軟性点が撮像される。工程３０６で生成された画像を用いて、工程３０８において、臨床医又はアプリケーション８１は、軟性点におけるＥＭセンサ９４の位置を確認することができる。ＥＭセンサ９４が軟性点に位置しているか否かを確認する際には、工程４０６で生成した画像をディスプレイ７０６に表示してもよい（図７）。ＥＭセンサ９４が標的軟性点にないと判定された場合には、処理は、更なるガイダンスが表示される工程３０２に戻る。ＥＭセンサ９４が軟性点に近接していることが確認されると、処理は、工程３１０に進む。
【００４５】
工程３１０で、１回換気量呼吸に起因する患者の胸部の動きが、患者の呼吸周期の１つ以上の周期にわたってサンプリングされる。１回換気量呼吸に起因する動きは、患者の胸部の動きを視認及び記録するために位置付けられた１つ以上の光学カメラを用いてサンプリングされてもよい。患者の胸部の動きを使用して、安静換気（ｔｉｄａｌ  ｂｒｅａｔｈｉｎｇ）に起因する動きを推定することができる。代替的には、センサ７４をサンプリングして、患者の安静換気中の患者の胸部の動きを判定することができる。同様に、センサ７４を使用して感知された患者の胸部の動きを使用して、安静換気に起因する動きを推定することができる。
【００４６】
工程３１２において、アプリケーション８１は、ＥＭセンサ９４から患者の１回換気量運動データ及び位置データを受信し、データセットを相関させる。データセットを相関させることにより、本開示は、観察された胸部運動をＥＭセンサ９４の動きに分配するようにする。つまり、胸部が一方向の（例えば、脊椎の長手方向軸線に対して垂直に）ある距離を移動して観察される場合、ＥＭセンサ９４に近接する肺の気道において観察されることができると考えられる移動の程度に関する判定を行うことができる。アプリケーション８１は、データを保存し、データポイントが受信された時間に従って、患者の１回換気量呼吸運動データ及びＥＭセンサ９４からの位置データを相関させる。
【００４７】
保存されたデータは、より大きなデータベースに移行及び保存され、将来の処置において利用されるために他の患者からの同様の保存されたデータと集合され得る。データベースはまた、身長、体重、性別、性、最大呼気流量、及び努力性肺活量などのそれぞれの患者の付加因子を含む。データベースに保存された多くの患者の保存データを分析することによって、予測モデルが生成されて、肺の中の標的の潜在的な位置を判定するか、又は侵襲的処置を行わずに患者の肺のモデルを更新することができる。予測モデルは、呼吸周期にわたる総合的な動きの推定を生成するための付加因子を更に組み込んでもよい。
【００４８】
実務において、医師は、患者の肺に対するＣＴ走査を行い、モデルを生成する。その後、医師は、１回換気量呼吸に起因する動きを、例えば、患者の胸部の動きを視認及び記録するために位置付けられた１つ以上の光学カメラを使用して測定し、データを生成する。最終的に、肺の中の予測推定点を生成するために、又は呼吸周期にわたってＣＴ走査で生成されたモデルを改善するために、測定された運動データ及び患者の付加因子が予測モデルに入力される。
【００４９】
工程３１４では、アプリケーション８１は、相関された１回換気量運動データ及びＥＭセンサ９４の位置データを使用して、局所的な位置合わせを行って、標的軟性点に近接する患者の気道により３Ｄモデルを更新する。例えば、局所的な位置合わせは、薄板スプライン（ＴＰＳ）補間などの一連の補間手法に基づいて行われてもよい。実施形態では、ＴＰＳ補間は、３Ｄモデルとの自動位置合わせ中に記憶されたＥＭ生成器７６によって生成されたＥＭ場内のＥＭセンサ９４の位置を示す点を、非剛体位置合わせするために使用されてもよく、局所的な位置合わせ中に記憶された追加点によって増強されてもよい。工程３１２における相関及び工程３１４における位置合わせの更新の結果として、静的ＣＴ画像の表示上に描かれると考えられるＥＭセンサ９４の検出された動き、又はそれから導出された３Ｄモデルは、ＥＭセンサ９４の位置及びそれが患者の気道内で動作可能に接続されている任意のツールをより正確に表示するように修正される。このような相関及び局所的な位置合わせがない場合、検出されたＥＭセンサ９４の位置は、患者の呼吸周期の特定の部分の間、患者の気道の外側にあるように見える場合がある。
【００５０】
工程３１６では、更新された位置合わせがモデルに組み込まれ、医師を治療標的にナビゲートすることができるようにガイダンスが表示される。治療標的に到達すると、工程３１８において、処置が行われる。更新された位置合わせにより、治療標的の位置をより正確に表すことができる。ユーザは、更新された位置合わせの結果だけを見る一方、位置合わせに対する全更新は、バックグラウンドのプロセスとして行われている。
【００５１】
工程３２０では、アプリケーション８１又は臨床医は、追加の治療標的があるかどうかを判定する。治療標的が残っている場合、処理は、工程３０２に戻り、アプリケーション８１は、ＥＭセンサ９４を次の治療標的の近くの次の軟性点に近接してナビゲートするためのガイダンスを表示する。治療標的が残っていなければ、プロセスは完了し、処理を終了する。
【００５２】
次に、図４を参照して、３Ｄモデルの、患者の気道との位置合わせを更新する例示的な方法のフロー図が示される。上記のように、工程５０２では、例えば、患者の胸部及び肺などの関心領域は、例えば、ＣＴ走査などの撮像法を使用して撮像される。工程４０４では、アプリケーション８１は、上述するように、患者の気道とＣスキャンの位置合わせを行うためのガイダンスを表示する。位置合わせ中に、患者の気道内にあるＥＭセンサ９４の位置が追跡され、ＥＭ発生器７６によって発生されたＥＭ場内のＥＭセンサ９４の位置を示す複数の点が記憶される。
【００５３】
工程４０６では、医師又はアプリケーション８１は、１つ以上の標的軟性点、例えば、すなわち、乳頭線、食道、肋骨の輪郭、中間幹分岐部等を識別することができる。アプリケーション８１は、ＥＭセンサ９４の位置を追跡している間に、管腔ネットワークを通って、管腔ネットワークの壁を通って、又は患者の皮膚を経皮的に通って、標的軟性点、例えば、すなわち、乳頭線、食道、肋骨の輪郭、中間幹分岐部などに近接しているＥＭセンサ９４をナビゲートするためのガイダンスを表示することによって局所的な位置合わせプロセスを開始する。代替的に、ＥＭセンサ９４に近接して位置するカメラ（例えば、気管支鏡内）からのライブ映像フィードを見ることにより、臨床医は、標的軟性点を視覚的に検出することができる。その後、工程４０８において、臨床医又はアプリケーション８１は、センサが判定された標的軟性点に近接して位置しているかどうかを判定し得る。臨床医又はアプリケーション８１が、ＥＭセンサ９４が標的軟性点に近接していないと判定すると、処理は、更なるガイダンスが表示される工程４０６に戻る。
【００５４】
工程４１０では、ＥＭセンサ９４が軟性点に近接して位置している間に、例えば、ＣＴ撮像法、コーンビームＣＴ撮像法、又は超音波撮像法を使用して、標的軟性点が撮像される。工程４１０で生成された画像を用いて、工程４１２では、臨床医又はアプリケーション８１は、軟性点におけるＥＭセンサ９４の位置を確認することができる。ＥＭセンサ９４が標的軟性点にないと判定された場合には、処理は、更なるガイダンスが表示される工程４０６に戻る。ＥＭセンサ９４が軟性点に近接していることが確認されると、処理は、工程４１４に進む。
【００５５】
工程４１４において、１回換気量呼吸に起因する患者の胸部の動きが、患者の呼吸周期の１つ以上の周期にわたってサンプリングされる。１回換気量呼吸に起因する動きは、患者の胸部の動きを視認及び記録するために位置付けられた１つ以上の光学カメラを用いてサンプリングされてもよい。患者の胸部の動きを使用して、安静換気に起因する動きを推定することができる。代替的には、センサ７４をサンプリングして、患者の安静換気中の患者の胸部の動きを判定することができる。同様に、センサ７４を使用して感知された患者の胸部の動きを使用して、安静換気に起因する動きを推定することができる。
工程４１６では、臨床医又はアプリケーション８１は、静的点、例えば、椎体、気管分岐部、甲状腺軟骨、又は食道など、患者の呼吸周期中に最小限に動く点を識別することができる。これらの静的点の多くが現れることとなり、初期のＣＴ走査及び３Ｄ生成モデルで認識及び測定可能となる。他のものは、識別された静的点上又はその近くに配置されたセンサ７４で監視されてもよい。工程４１８では、患者の１回換気量運動データが、患者の呼吸周期の１つ以上の周期にわたってサンプリングされる。
【００５６】
工程４２０では、アプリケーション８１は、患者の呼吸周期にわたってＥＭセンサ９４から位置データを受信する。患者の呼吸周期は、工程４１４で起動され、工程４１８でサンプリングされた換気量モニタを使用して判定及び監視される。ＥＭセンサ９４からの位置データは、３Ｄモデル内の位置データへと変換され、アプリケーション８１によって識別された静的点の位置と比較されて、呼吸周期にわたって静的点に対する軟性点の位置を判定する。静的点の相対位置は、例えば、三角測量を使用して判定されてもよい。三角測量の潜在的な方法としては、例えば、直接線形変換、ユークリッド距離の中点判定、基本的な行列変換、及びユークリッド平面内の点の集合から様々な潜在的三角形の最小重みを判定することによって行われる最適三角測量が挙げられる。相対的な軟性点の位置は、ＥＭセンサ９４の位置を示す軟性点データとして記憶される。
【００５７】
工程４２２では、アプリケーション８１は、ＥＭセンサ９４の位置を示す軟性点位置データを使用して、局所的な位置合わせを行って、３Ｄモデルを標的軟性点に近接する患者の気道により更新する。例えば、局所的な位置合わせは、薄板スプライン（ＴＰＳ）補間などの一連の補間手法に基づいて行われてもよい。実施形態では、ＴＰＳ補間は、３Ｄモデルとの自動位置合わせ中に記憶されたＥＭ生成器７６によって生成されたＥＭ場内のＥＭセンサ９４の位置を示す点を、非剛体位置合わせするために使用されてもよく、局所的な位置合わせ中に記憶された追加点によって増強されてもよい。
【００５８】
工程４２４では、局所的な位置合わせが行われていない標的軟性点が残っていない場合、アプリケーション８１又は臨床医は、位置合わせの更新が完了していると判定する。位置合わせの更新が完了していない場合、処理は、工程４０６に戻り、アプリケーション８１は、次の標的軟性点に近接しているＥＭセンサ９４をナビゲートするためのガイダンスを表示する。位置合わせの更新が完了すると、局所的な位置合わせの更新処理が終了する。
【００５９】
図５Ａ及び図５Ｂは、ユーザインタフェース７１６が本開示の実施形態に係るディスプレイ７０６（図７）に提示できる様々なウィンドウを示す。ディスプレイ７０６は、例えば、標的管理モード、経路計画モード、及びナビゲーションモードなどの内視鏡ナビゲーションシステム１０の動作のモードに基づいて特定のウィンドウを提示することができる。
【００６０】
図５Ａ及び図５Ｂはまた、本開示の実施形態に係る標的管理モードを示す。標的が識別された後、臨床医は、それぞれの標的の位置又は寸法を優先順位をつけるか又は確認するようにレビュー及び管理することができる。標的管理モードは、３Ｄマップウィンドウ５１０並びに軸線ビューウィンドウ５３０、冠状ビューウィンドウ５５０、及び矢状ビューウィンドウ５７０を含む３つのウィンドウを含んでもよい。３Ｄマップウィンドウ５１０は、左側に位置し、標的２１５を示してもよい。標的の位置に基づいてウィンドウ５３０、５５０、及び５７０の３つのウィンドウが選択される。
【００６１】
図５Ａは、初期位置合わせ後の可能なインタフェースディスプレイを示す。初期位置合わせにより、医師は、治療標的の近くの軟性スポットにナビゲートするためのナビゲーション計画を作成することが可能になる。軟性スポットに到達し、部位において図２〜図４に説明される局所的な位置合わせ法のいずれかを行うと、３Ｄマップビュー５１０、軸線ビューウィンドウ５３０、冠状ビューウィンドウ５５０、及び矢状ビューウィンドウ５７０が自動的に更新される。図５Ｂは、局所的な位置合わせ後の更新されたディスプレイを示す（図５Ａ及び図５Ｂは、単に説明の目的のために全く対照的に示されている）。医師が２Ｄ又は３Ｄディスプレイ５１０、５３０、５５０、及び５７０のいずれかを使用してナビゲートする際、ディスプレイは、患者の胸部が呼吸周期の間、動くにつれて、安定した画像を提示するために更に自動的に更新される。医師の視点から見て、ディスプレイの更新は不変となるので、医師は、安定した正確なビューでナビゲートされ、治療を適用することが可能となる。
【００６２】
ナビゲーション中、ユーザインタフェース７１６（図７）はまた、例えば、図６に示されるようなビュー６５０を医師に提示してもよい。ビュー６５０は、中心ナビゲーションタブ６５４、周辺ナビゲーションタブ６５６、及び標的整列タブ６５８を含む、標的軟性点又は治療標的などの標的にナビゲートするためのユーザインタフェースを臨床医に提供する。中心ナビゲーションタブ６５４は、主に、気管支鏡５０を患者の気管支樹を通ってガイドするために使用される。周辺ナビゲーションタブ４５６は、主に、ＥＷＣ９６、ＥＭセンサ９４、及びＬＧ９２を標的軟性点及び治療標的を含む標的に向かってガイドするために使用される。標的整列タブ６５８は、主に、周辺ナビゲーションタブ６５６を使用してＬＧ９２が標的にナビゲートされた後に、ＬＧ９２が標的と整列していることを検証するために使用される。ビュー６５０はまた、臨床医が標的選択ボタン６６０を起動させることによって、ナビゲートする標的６５２を選択することを可能にする。
【００６３】
それぞれのタブ６５４、６５６、及び６５８は、臨床医を標的軟性点までナビゲートすることを補助するいくつかのウィンドウ６６２を含む。提示されるウィンドウ６６２の数及び設定は、「オプション」ボタン６６４の起動によって、ナビゲーションの前又は最中に臨床医によって設定可能である。それぞれのウィンドウ６６２において表示されるビューはまた、それぞれのウィンドウ６６２のディスプレイボタン６６６を起動させることで臨床医によって設定可能である。例えば、ディスプレイボタン６６６を起動させることにより、気管支鏡ビュー６７０、仮想気管支鏡ビュー６７２、３Ｄマップ動的ビュー６８２、ＭＩＰビュー（図示せず）、３Ｄマップ静止ビュー（図示せず）、矢状ＣＴビュー（図示せず）、軸線ＣＴビュー（図示せず）、冠状ＣＴビュー（図示せず）、先端ビュー（図示せず）、３ＤＣＴビュー（図示せず）、及び整列ビュー（図示せず）を含む、臨床医による選択のためのビューのリストが臨床医に提示される。
【００６４】
気管支鏡ビュー６７０は、例えば、図６に示されるように、気管支鏡５０から受信したリアルタイムの画像を臨床医に提示する。気管支鏡ビュー６７０により、気管支鏡５０が患者の気道を通って標的に向かってナビゲートされる際、臨床医が患者の気道をリアルタイムで視覚的に観察することが可能になる。
【００６５】
仮想気管支鏡ビュー６７２は、例えば、図６に示されるように、ロードされたナビゲーション計画の３Ｄ体積から生成された患者の気道壁の３Ｄレンダリング６７４を臨床医に提示する。仮想気管支鏡ビュー６７２はまた、方向の指標を提供するナビゲーション経路６７６を臨床医に提示し、その方向に沿って、臨床医は、標的に到達するために、移動する必要がある。臨床医が進むべき所望の経路を容易に判定し得るように、ナビゲーション経路４７６は、３Ｄレンダリング６７４と対照的な色又は形状で提示されてもよい。
【００６６】
３Ｄマップ動的ビュー６８２は、ロードされたナビゲーション計画の３Ｄ体積から生成された患者の気道の動的な３Ｄモデル６８４を提示する。動的３Ｄモデル６８４は、臨床医が標的に到達するために移動する必要がある気道を示す強調表示部分６８６を含む。動的３Ｄモデル６８４の配向は、患者の気道内のＥＭセンサ９４の動きに基づいて自動的に更新されて、臨床医に、標的への経路上にはない気道分岐によって、比較的閉塞されていない動的３Ｄモデル６８４のビューを提供する。３Ｄマップ動的ビュー６８２はまた、上述のように仮想プローブ６７９を臨床医に提示し、臨床医が、対応する患者の気道を通ってＬＧ９２を前進させるにつれて、仮想プローブ６７９は、動的３Ｄモデル６８４に提示された気道を通って回転及び移動する。
【００６７】
図２〜図４に示す位置合わせ更新方法のいずれかを行った後、プログラム８１は、呼吸周期にわたって更新された位置合わせに従って気管支鏡ビュー６７０、仮想気管支鏡ビュー６７２、３Ｄマップ動的ビュー６８２を制御する。患者の胸部が呼吸周期中に動くと、安定した気管支鏡ビュー６７０、仮想気管支鏡ビュー６７２、及び３Ｄマップ動的ビュー６８２を示すために、更新された位置合わせにより、動作が説明される。安定したビューにより、臨床医は、不安定なビューとなる胸部の動きを継続的に中断することなく、治療標的又は追加の位置合わせ標的に向かって、ＥＷＣ９６、ＥＭセンサ９４及びＬＧ９２をナビゲートすることが可能となる。よって、臨床医は、より多く制御され、ユーザ経験が簡易である、ＥＷＣ９６、ＥＭセンサ９４、及びＬＧ９２の治療標的までのナビゲートが提供される。
【００６８】
治療標的に到達すると、治療標的において治療を提供することができるように、ＥＷＣ９６及びＬＧ９２を通って、カテーテル生検ツール１０２を誘導することができる。標的では、改良された局所的な位置合わせにより、呼吸周期にわたって標的をより正確かつリアルタイムに追跡することが可能になる。処置を実行する際、更新された位置合わせにより、医師は、治療標的における治療を維持し、悪影響を受ける可能性のある健康組織に不要な処置を施すことを回避することができる。
【００６９】
改良された局所的な位置合わせにより、気道外の治療標的に対する治療の適用を更に改善することができる。ＥＷＣ９６又はＬＧ９２を通って、治療標的又は生検標的の近くにある位置へアクセスツールを誘導することができる。治療標的の近くにいる間、改良された局所的な位置合わせにより、呼吸周期にわたって、リアルタイムに、気管及び気管支壁の壁を通ってより正確に標的を追跡することができる。標的の追跡の改善により、アクセスツールが、気管及び気管支壁を穿刺して、治療標的へアクセスする際、気管支樹への損傷の増加のリスクを低減することができる。
【００７０】
改良された局所的な位置合わせにより、経皮的ナビゲーション及びアプローチの計画策定が更に補助される。改良された局所的な位置合わせにより、呼吸周期にわたって、標的の位置並びに他の体内の身体的特徴部の位置を知ることができる。次いで、医師又はアプリケーション８１は、呼吸周期にわたって治療を適用するために、治療標的への正確な経路を生成しながら、体内の身体的特徴部を穿刺することを回避するように経皮針を誘導するための経路を判定することができる。
【００７１】
ここで図７に戻ると、ワークステーション８０のシステム図が示されている。ワークステーション８０は、メモリ７０２、プロセッサ７０４、ディスプレイ７０６、ネットワークインタフェース７０８、入力デバイス７１０、及び／又は出力モジュール７１２を含み得る。
【００７２】
メモリ７０２は、プロセッサ７０４によって実行可能であり、ワークステーション８０の動作を制御するデータ及び／又はソフトウェアを記憶する任意の非一過性のコンピュータ可読記憶媒体を含む。一実施形態では、メモリ７０２としては、フラッシュメモリチップなどの１つ以上のソリッドステート記憶デバイスを挙げることができる。代替的に、又は、１つ以上のソリッドステート記憶デバイスに加えて、メモリ７０２としては、大容量記憶制御デバイス（図示せず）及び通信バス（図示せず）を介してプロセッサ７０４に接続された１つ以上の大容量記憶デバイスを挙げることができる。本明細書で記載するコンピュータ可読媒体の説明はソリッドステートストレージを指すが、当業者は、コンピュータ可読記憶媒体は、プロセッサ７０４がアクセスすることができる任意の利用可能な媒体とすることができることを理解するであろう。すなわち、コンピュータ可読記憶媒体としては、コンピュータ可読命令、データ構造、プログラムモジュール又は他のデータなどの情報の記憶のために任意の方法又は技術で実行される非一過性、揮発性及び不揮発性、取り外し可能及び取り外し不能媒体が挙げられる。例えば、コンピュータ可読記憶媒体としては、ＲＡＭ、ＲＯＭ、ＥＰＲＯＭ、ＥＥＰＲＯＭ、フラッシュメモリ又は他のソリッドステートメモリ技術、ＣＤ−ＲＯＭ、ＤＶＤ、Ｂｌｕ−Ｒａｙ又は他の光学ストレージデバイス、磁気カセット、磁気テープ、磁気ディスクストレージ、又は、他の磁気ストレージデバイス、又は、所望の情報を記憶するために使用することができ、ワークステーション８０がアクセスすることができる任意の他の媒体が挙げられる。
【００７３】
メモリ７０２は、アプリケーション８１及び／又はＣＴデータ２１４を記憶し得る。アプリケーション８１は、プロセッサ７０４によって実行されると、ディスプレイ７０６にユーザインタフェース７１６を提示させ得る。ネットワークインタフェース７０８は、有線ネットワーク及び／又は無線ネットワークからなるローカルエリアネットワーク（ＬＡＮ）、広域ネットワーク（ＷＡＮ）、無線携帯電話ネットワーク、ブルートゥース（登録商標）ネットワーク、及び／又は、インターネットなどのネットワークに接続するように構成され得る。入力デバイス７１０は、例えば、マウス、キーボード、フットペダル、タッチスクリーン、及び／又は、音声インタフェースなど、臨床医がワークステーション８０と相互作用することができる任意のデバイスであり得る。出力モジュール７１２としては、例えば、パラレルポート、シリアルポート、ユニバーサルシリアルバス（ＵＳＢ）、又は、当業者に知られている任意の他の同様の接続ポートなど任意の接続ポート又はバスを挙げ得る。
【００７４】
本開示のいくつかの実施形態を図面で示してきたが、それによって本開示が限定されることを意図するものではなく、本開示が当該技術分野で可能な限り広い範囲を対象とすること、及び本明細書も同様に解釈されることが意図されている。したがって、上述の説明は、単に特定の実施形態の例示として解釈すべきであり、限定するものとして解釈すべきではない。本明細書に添付の請求項の範囲及び趣旨を逸脱しない他の修正は、当業者ならば想到するであろう。
【００７５】
このようなデバイスの詳細な実施形態、当該のデバイスを組み込むシステム、及び当該システムを使用する方法が上述されている。しかしながら、これらの詳細な実施形態は、単に本開示の実施例であり、本開示は、様々な形態で具現化され得る。したがって、本明細書で開示する特定の構造的及び機能的な詳細は、制限的と解釈されず、単に請求項の基盤として、及び、事実上いずれの当業者が本開示を適切に詳説した構造で様々に採用することを可能にする代表的な基盤として解釈されるべきである。上述する例示的実施形態は、患者の気道の気管支鏡検査法を対象としているが、当業者は、同一又は類似のデバイス、システム、及び方法が、例えば、血管網、リンパ系ネットワーク、及び／又は消化管ネットワークなど、他の管腔ネットワーク内でも使用され得ると理解するであろう。
【図１】
2019531113.tif 000003
【図２】
2019531113.tif 000004
【図３】
2019531113.tif 000005
【図４】
2019531113.tif 000006
【図５Ａ】
2019531113.tif 000007
【図５Ｂ】
2019531113.tif 000008
【図６】
2019531113.tif 000009
【図７】
2019531113.tif 000010
【国際調査報告】
2019531113.tif 000011
2019531113.tif 000012